(57)【要約】【課題】ＰＤＰの長期間の駆動においてもアドレス放電の特性を安定的に維持できる技術を提供する。【解決手段】本ＰＤＰ１０は、セルの領域に、面放電に用いる表示電極対（２Ｘ，２Ｙ）における逆スリット５２側に突起部（Ｘｃ１，Ｙｃ１）を持つ構造である。突起部Ｙｃ１を含む走査電極２Ｙとアドレス電極（６Ａ）との間でアドレス放電が行われる。表示電極対（２Ｘ，２Ｙ）での面放電（３１）と、突起部Ｙｃ１を用いたアドレス放電（３２）とが位置的に離れた構造であるので、面放電による保護層の劣化に対しても、アドレス放電の特性が安定化される。【選択図】図３
2009135004.tif 000002
【特許請求の範囲】
【請求項１】
隔壁により区画され蛍光体が形成される放電空間を持つ基板構造体が、第１方向に、面放電に用いる第１と第２の電極の対を有し、前記第１方向に交差する第２方向に、前記第２の電極との間でのアドレス放電に用いる第３の電極を有し、これらの電極群の交差に対応して表示セル群が構成されるプラズマディスプレイパネルであって、
前記第１と第２の電極群を覆う誘電体層と、前記誘電体層を覆って前記放電空間に露出する保護層とを有し、
前記第１と第２の電極の対における、一方側のスリットは前記面放電に用い、逆側のスリットは前記面放電に用いない構造であり、
前記表示セルに対応付けられる前記放電空間の領域に対して含まれるように、前記第２の電極に対して前記逆側のスリットに、前記アドレス放電に用いる第１の突起形状の電極部を有すること、を特徴とするプラズマディスプレイパネル。
【請求項２】
請求項１記載のプラズマディスプレイパネルにおいて、
前記第２の電極側と同じように、前記第１の電極に対して前記逆側のスリットに、前記第１の突起形状の電極部を有すること、を特徴とするプラズマディスプレイパネル。
【請求項３】
請求項１または２に記載のプラズマディスプレイパネルにおいて、
前記第１と第２の電極の対における前記一方側のスリットに、前記面放電に用いる第２の突起形状の電極部を有すること、を特徴とするプラズマディスプレイパネル。
【請求項４】
請求項３記載のプラズマディスプレイパネルにおいて、
前記第１及び第２の電極の本線は、金属バス電極で構成され、
前記第１及び第２の突起形状の電極部は、それぞれ透明電極で構成されること、を特徴とするプラズマディスプレイパネル。
【請求項５】
請求項３記載のプラズマディスプレイパネルにおいて、
前記第１及び第２の電極の本線は、金属バス電極で構成され、
前記第１の突起形状の電極部は、金属電極で構成され、前記第２の突起形状の電極部は、透明電極で構成されること、を特徴とするプラズマディスプレイパネル。
【請求項６】
請求項１〜５のいずれか一項に記載のプラズマディスプレイパネルにおいて、
前記第１の突起形状の電極部に対して交差する位置に、前記第３の電極のうち幅が大きくなるパッド部が設けられていること、を特徴とするプラズマディスプレイパネル。
【請求項７】
請求項１〜６のいずれか一項に記載のプラズマディスプレイパネルにおいて、
前記基板構造体に、前記第３の電極間に、前記第２方向に並行して前記放電空間を前記表示セルに対応して区画する第１の隔壁部を有すること、を特徴とするプラズマディスプレイパネル。
【請求項８】
請求項７記載のプラズマディスプレイパネルにおいて、
前記基板構造体に、前記逆側のスリットに、前記第１方向に並行して前記放電空間を前記表示セルに対応して区画する第２の隔壁部を有すること、を特徴とするプラズマディスプレイパネル。
【発明の詳細な説明】
【技術分野】
【０００１】
本発明は、プラズマディスプレイパネル（ＰＤＰ）及びそれを備える表示装置（プラズマディスプレイ装置：ＰＤＰ装置）に関し、特に、電極を含むセル構造及び放電特性などに関する。
【背景技術】
【０００２】
平面型のＰＤＰ装置として面放電・交流駆動型のＰＤＰ装置が実用化されており、広く利用されている。ＰＤＰ（パネル）においては、高性能や低コストと同時に、高い信頼性が要望されている。
【０００３】
上記面放電を行うＰＤＰ装置においては、パネルの画面（表示領域）上の全画素（セル）を、表示データに応じて同時に発光させる。面放電は、表示放電、維持放電などとも称する。面放電が行われる電極（対）を、表示電極などと称する。表示電極対は、例えば、維持電極（Ｘ電極）と走査電極（Ｙ電極）により構成される。
【０００４】
上記面放電を行うＰＤＰ装置のパネルは、例えば、前面基板構造体側、前面ガラス基板上に、上記面放電に用いる電極対が形成され、電極対を覆って誘電体層及び更に保護層が形成され、パネルの内部（放電空間）に希ガス（放電ガス）が封入される構造である。また背面基板構造体側、背面ガラス基板上、放電空間を区画する隔壁間には、３原色である赤（Ｒ）、緑（Ｇ）、青（Ｂ）の各色の蛍光体が形成されている。上記電極間に面放電用の駆動電圧が印加されると、電極面上の誘電体層・保護層の表面で面放電が起こり、これにより紫外線が発生する。紫外線により各蛍光体を発光させることでカラー表示している。
【０００５】
放電空間に露出して形成される保護層は、例えば酸化マグネシウム（ＭｇＯ）の層により構成され、放電保護機能や、放電空間に対する２次電子供給（放出）機能を持つ。現在（従来主流）のＰＤＰ装置において、表示電極（Ｘ電極，Ｙ電極）対で面放電が行われるが、ＰＤＰの長期間の駆動の累積により面放電が繰り返されると、保護層（ＭｇＯ）がスパッタされることにより劣化が生じ、パネル寿命の劣化につながる。
【０００６】
表示電極対に対して突起（ないし張り出し）形状の電極部を設ける従来技術例として以下がある。
【０００７】
特開２０００−１１３８２８号公報（特許文献１）記載の技術では、等間隔に配置される行電極（表示ライン（行）を構成し面放電が行われる電極対）を有し、それぞれの行電極のバス電極における列方向の両側に張り出す突出部を有する。本技術では、両側の突出部は共に面放電に用いられ、面放電が行われない逆スリットを持たない構造であり、逆スリット側への突起形状の電極部を持たない。
【０００８】
特開２００３−８６１０８号公報（特許文献２）記載の技術では、特許文献１同様に、それぞれの行電極のバス電極における列方向の両側に張り出す突出部を持つ。本技術では、各バス電極は隔壁と重なる位置に存在し、セルは、それぞれ隔壁に囲まれる、面放電が行われる第１のセルと、リセット及びアドレスが行われる第２のセルと、に分けられている。アドレスに用いる突出部は、第２のセル内に含まれており、面放電が行われる第１のセル内には含まれていない。
【０００９】
特開２００５−１３５７３２号公報（特許文献３）記載の技術では、表示セル側が透明電極で、逆側に突出する電極が金属電極である。本技術では、逆側に突出する電極でも面放電を行う構造である。また、リブにより表示セルと補助セルが区画されている。
【特許文献１】特開２０００−１１３８２８号公報
【特許文献２】特開２００３−８６１０８号公報
【特許文献３】特開２００５−１３５７３２号公報
【発明の開示】
【発明が解決しようとする課題】
【００１０】
従来、前述した面放電により保護層（ＭｇＯなど）が劣化し、この劣化保護層において一番の問題となるのが、放電遅れの増大である。特に、アドレス駆動期間でのアドレス放電時の放電遅れの増大は、アドレス（セル選択）動作を不安定化し、アドレス誤りによる表示不良を引き起こすという問題がある。
【００１１】
本発明は以上のような問題に鑑みてなされたものであり、その主な目的は、ＰＤＰの長期間の駆動においてもアドレス放電の特性を安定的に維持できる技術、特に、面放電による保護層の劣化の影響を受けるアドレス放電の放電遅れを改善できる技術、を提供することである。
【課題を解決するための手段】
【００１２】
本願において開示される発明のうち、代表的なものの概要を簡単に説明すれば、次のとおりである。前記目的を達成するために、本発明の代表的な実施の形態は、ＰＤＰの技術であって、以下に示す構成を有することを特徴とする。
【００１３】
本ＰＤＰ構造では、面放電に用いる電極対において、面放電を行わせる側（表示ラインとなる側）のスリット（正スリット）とは逆側のスリット（逆スリット）に、突起等の形状の電極部（突起部と称する）を持つ。これにより、当該電極対での面放電により保護層（ＭｇＯなど）が劣化した場合においても、劣化した部分から離れた突起部を用いてアドレス放電が行われる。保護層の劣化の程度に応じて、保護層の相対的に劣化が大きい部分、即ち放電ギャップ付近に対して、相対的に劣化が小さい部分、即ち放電ギャップ付近から突起部の方向へと離れた位置において、アドレス放電を行わせることができる。面放電による保護層の劣化の影響をあまり受けずにアドレス放電が可能となるので、アドレス放電の特性が長期間安定化される。本ＰＤＰは例えば以下の構成である。
【００１４】
（１）  本ＰＤＰは、隔壁により区画され蛍光体が形成される放電空間を持つ基板構造体において、第１方向に、面放電に用いる第１と第２の電極の対（表示電極対）を有し、前記第１方向に交差する第２方向に、前記第２の電極との間でのアドレス放電に用いる第３の電極を有し、これらの電極群の交差に対応して表示セル群が構成され、前記第１と第２の電極群を覆って前記放電空間に露出する保護層を有し、前記第１と第２の電極の対における、一方側のスリットは前記面放電に用い、逆側のスリットは前記面放電に用いない構造である。そして、本ＰＤＰは、前記表示セルに対応付けられる前記放電空間の領域に対して含まれるように、少なくとも前記第２の電極に対して前記逆側のスリットに、前記アドレス放電に用いる第１の突起形状の電極部を有する。
【００１５】
（２）  上記（１）で更に、当該表示電極対は、正スリット側に、突起等の形状の電極部（面放電ギャップを構成する電極対）を持つ。
【００１６】
（３）  上記（２）で更に、正スリット側の突起等の形状の電極部を、ＩＴＯなどによる透明電極で構成し、逆スリット側の突起部を、金属製のバス電極と同様の材料で構成する。
【００１７】
（４）  上記（１）等で更に、逆スリット側の突起部の領域（面積）に対し、パネル面垂直方向で交差する位置に、アドレス電極のパッド部を設けることで、当該交差部分の面積を大きくする。
【発明の効果】
【００１８】
本願において開示される発明のうち、代表的なものによって得られる効果を簡単に説明すれば以下のとおりである。本発明の代表的な実施の形態によれば、ＰＤＰの長期間の駆動においてもアドレス放電の特性を安定的に維持でき、特に、面放電による保護層の劣化の影響を受けるアドレス放電の放電遅れを改善できる。
【発明を実施するための最良の形態】
【００１９】
以下、本発明の実施の形態を図面に基づいて詳細に説明する。なお、実施の形態を説明するための全図において、同一部には原則として同一符号を付し、その繰り返しの説明は省略する。
【００２０】
＜概要＞
各実施の形態のＰＤＰのいずれも、表示電極対に対し、逆スリット側に突起部（Ｘｃ，Ｙｃで表す）を設け、アドレス放電に利用する。突起部（Ｙｃ）の存在により、アドレス放電と面放電とが位置的に離れる構造である。面放電による保護層の劣化の影響に対しては、劣化が大きい保護層の部分（面放電ギャップ付近）から離れた突起部（Ｙｃ）を用いるので、アドレス放電の特性が長期間安定化される。
【００２１】
＜基本構成＞
図１、図２を用いて、まず、本発明の実施の形態のＰＤＰ装置における基本的な構成について説明し、特徴的な詳細構造などについては後述する。
【００２２】
＜ＰＤＰ装置＞
図１において、一実施の形態のＰＤＰ装置の全体構成を示している。本ＰＤＰ装置は、電極群（維持電極２Ｘ，走査電極２Ｙ，アドレス電極６）が形成されているＰＤＰ（パネル）１０と、ＰＤＰ１０の電極群に接続され駆動の電圧を印加する駆動回路（ドライバ）である、Ｘサステインドライバ（Ｘ電極維持駆動回路）１２１、Ｙサステインドライバ（Ｙ電極維持駆動回路）１２２、Ｙスキャンドライバ（Ｙ電極走査駆動回路）１２３、及びアドレスドライバ（アドレス電極駆動回路）１２４と、それらを制御する制御回路１１０と、を備える。
【００２３】
ＰＤＰ１０において、面放電（維持放電）に用いる電極（表示電極）として、画面内の水平方向に並行して、維持電極２Ｘ（記号Ｘで表す）と走査電極２Ｙ（記号Ｙで表す）の対が形成され、当該電極対によるライン（表示ライン）が構成されている。また、それら電極対と交差するように画面内の垂直方向に並行してアドレス電極６（記号Ａで表す）が形成され、当該電極による表示列が構成されている。そして、ＰＤＰ１０の画面（表示領域）には、これら電極群（Ｘ，Ｙ，Ａ）の交差領域に対応して、マトリクス状のセル（表示セル）群が構成されている。
【００２４】
ＰＤＰ装置には、例えば、ＴＶチューナやコンピュータ等の外部装置から、赤（Ｒ），緑（Ｇ），青（Ｂ）の３色の輝度レベルを示す多値画像データであるフィールドデータ、並びに各種同期信号（クロック信号，水平同期信号，垂直同期信号）等が入力される。そして、制御回路１１０は、上記データ及び信号をもとに、各ドライバに適した制御信号を生成及び出力し、これに従いドライバは電圧の印加により対応する電極群を駆動する。これにより、ＰＤＰ１０の画面（表示領域）に所定の方式による映像表示が行われる。
【００２５】
ＰＤＰ１０は、電極配列の例としては、ノーマル方式において、表示電極対である維持電極２Ｘ（Ｘ電極：Ｘ１〜Ｘｎ）と走査電極２Ｙ（Ｙ電極：Ｙ１〜Ｙｎ）とが、画面内垂直方向に交互に繰り返し配置され、それら電極対（Ｘ−Ｙ）によるラインが順次配列されている。また、表示電極対（ライン）と交差するアドレス電極６（Ａ１〜Ａｍ）によりセルが構成されている。なお、隣接電極間におけるライン（発光部）が構成される側を正スリットと称し、その逆の非ライン（非発光部）側を逆スリットと称する。
【００２６】
＜駆動方式＞
本ＰＤＰ装置の駆動方式において、ＰＤＰ１０の画面に対応付けられるフィールドは、サブフィールド方式及びＡＤＳ方式で駆動され、これにより階調表現、カラー表示が行われる。駆動シーケンスにおいて、フィールド（ないしフレーム）は、所定の輝度の重みが与えられる複数（例えば８〜１０個）のサブフィールド（ないしサブフレーム）により構成される。フィールドの各サブフィールド（ＳＦ）の点灯の選択組み合わせにより所望の階調表現が行われる。１つのフィールドの各ＳＦの期間は、リセット、アドレス、サステイン（表示）といった各過程（駆動期間）を有する。ＳＦの重み付けに応じて、サステイン期間の維持放電（ないしサステインパルス）の数の比が異なる。ＳＦの重み付けの方法としては、例えば２のべき乗（バイナリ）による方法などがある。
【００２７】
ＳＦの駆動において、リセット過程では、ＳＦの全セルの壁電荷などの状態を初期化（なるべく均一化）し、次のアドレス過程に備える。次のアドレス過程では、ＳＦ内の点灯するセルを選択する。Ｙスキャンドライバ１２３は、個別のＹ電極２Ｙ（ライン）を制御して順次選択する動作（走査）を行う。それと共に、アドレスドライバ１２４は、個別のアドレス電極６を制御して選択する動作を行う。これらの動作により、選択されるアドレス電極６とＹ電極２Ｙとの対（間）で、ＳＦに対するセルの点灯（オン）／非点灯（オフ）を選択する放電（アドレス放電）を生じさせる。
【００２８】
次のサステイン過程では、先のアドレス過程により選択されているセル（選択セル）を、輝度の重みに応じた数の放電発光により点灯させる。Ｘサステインドライバ１２１及びＹサステインドライバ１２２は、表示電極（Ｘ，Ｙ）群へサステイン駆動用の電圧（サステインパルス）を印加する。これにより、選択セルで、重みに応じた数の維持放電を生じさせる。
【００２９】
＜ＰＤＰ＞
図２において、ＰＤＰ１０の基本構造の一例を示している。画素を構成するＲ，Ｇ，Ｂの各色のセル（Ｃｒ，Ｃｇ，Ｃｂ）の部分を示している。本例は、三電極（Ｘ，Ｙ，Ａ）、面放電・交流駆動型、ストライプリブ型などの場合である。なお説明のため、ｘ方向（第１方向、画面内水平方向）、ｙ方向（第２方向、画面内垂直方向）、ｚ方向（第３方向、パネル面垂直方向）を有する。各セル（Ｃｒ，Ｃｇ，Ｃｂ）は、放電及び発光が発生する領域（面積ないし容積）に対応付けられる。
【００３０】
本ＰＤＰ１０は、主に、前面側と背面側の２つのガラス基板１，５による２つの構造体（１１，１２）を組み合わせて構成される。２つの構造体（１１，１２）の外周部が封着されると共に、当該構造体間の領域には、排気及び放電ガスの封入により放電空間３０が構成される。
【００３１】
第１構造体（前面基板構造体）１１において、ガラス基板（前面ガラス基板）１上、ｘ方向に、表示電極２（Ｘ電極２Ｘ，Ｙ電極２Ｙ）対が形成されている。表示電極２として、維持駆動用の維持電極２Ｘ（Ｘ電極）と、維持駆動及び走査駆動の兼用の走査電極２Ｙ（Ｙ電極）とを有する。表示電極２は、例えば、透明電極とバス電極とにより構成される。表示電極２対は、誘電体層３により覆われ、更に、誘電体層３は、保護層４により覆われている。保護層４は、放電空間に露出する。
【００３２】
第２構造体（背面基板構造体）１２において、ガラス基板（背面ガラス基板）５上には、ｙ方向に、アドレス駆動用のアドレス電極６が形成されている。アドレス電極６は、例えば誘電体層７に覆われ、更に、誘電体層７上には、例えばｙ方向に、隔壁８（縦リブ）が形成されている。隔壁８は、放電空間３０をセル（表示列）に対応して区画する。誘電体層７上、隔壁８間の領域、特に誘電体層７表面及び隔壁８側面には、放電空間３０に露出するように、各色の蛍光体９（９Ｒ，９Ｇ，９Ｂ）が色別に表示列毎に繰り返し形成されている。
【００３３】
＜従来ＰＤＰ＞
次に、図１２〜図１４を用いて、比較説明のために、従来技術例のＰＤＰ９０の構造、及びその放電形態などについて説明する。本例は、図２同様のパネル構造において、セル単位でセル内側方向に張り出す透明電極（Ｘａ，Ｙａ）を持つ場合である。なお前面側から見た場合であり、幅や比率等は一例である。図１２は、従来のＰＤＰ９０の表示領域に対応する平面（ｘ−ｙ）の構造における電極などの概略的な構成を示している。また、図１３は、図１２の表示ライン方向（ｘ−ｚ）における断面Ａを示している。また、図１４は、図１２の表示列方向（ｙ−ｚ）における断面Ｂを示している。
【００３４】
図１２において、表示電極２（２Ｘ，２Ｙ）対によるラインＬ（正スリット５１）と、それらのラインＬ間の領域（逆スリット５２）とを有する。正スリット５１は発光部、逆スリット５２は非発光部である。Ｘ電極２Ｘ，Ｙ電極２Ｙは、それぞれ、直線状のバス電極Ｘｂ，Ｙｂと、それに対して電気的に接続され、正スリット５１側に張り出す透明電極Ｘａ，Ｙａとから成る。セル毎に、透明電極（Ｘａ，Ｙａ）対により面放電ギャップＧＳが構成されている。
【００３５】
また図２同様のリブ８（縦リブ８Ａ）及び蛍光体９（９Ｒ，９Ｇ，９Ｂ）等の構造を有し、各色のセル及び対応する表示列をＣｒ，Ｃｇ，Ｃｂで示している。なお蛍光体９は、省略して縦リブ８Ａの側面に形成される部分のみ示している。また破線で示すアドレス電極位置６Ａは、例えば、縦リブ８Ａ間の中心位置であり、透明電極（Ｘａ，Ｙａ）に重なる位置である。アドレス電極６の幅は、例えば、バス電極（Ｘｂ，Ｙｂ）や透明電極（Ｘａ，Ｙａ）の幅と同程度とする場合を示している。
【００３６】
なおリブ８の構造としては、ｙ方向の隔壁部（縦リブ８Ａ）だけでなく、更にｘ方向の隔壁部（横リブ）が存在する形態（ボックスリブ）なども可能である。横リブ位置８Ｂは、その横リブが存在する形態の場合の配置例を示し、例えば、逆スリット５２の中間位置の場合である。横リブ位置８Ｂは、他には例えば、バス電極（Ｘｂ，Ｙｂ）と重なる位置などがある。横リブを設けない形態の場合、例えば、正スリット５１側の電極対の距離よりも逆スリット５２側の電極対の距離の方が大きい構成とする。また、横リブを設ける形態の場合には、例えば、逆スリット５２側の電極対の距離を小さくすることができる。上記距離は、ｙ方向で隣接するセルでの放電等の相互影響を考慮して設計される。
【００３７】
図１２で、画面で見てセルに対応付けられる発光領域は、縦リブ８Ａとバス電極（Ｘｂ，Ｙｂ）とで囲まれる部分である。バス電極（Ｘｂ，Ｙｂ）は、非透過性の金属材料による非発光領域となる。透明電極（Ｘａ，Ｙａ）は、例えば、ＩＴＯ（酸化インジウム錫）から成り、バス電極（Ｘｂ，Ｙｂ）に重なる直線状の本線部分と、その部分からセル内側方向に張り出して面放電ギャップＧＳを構成する矩形の部分とを有する。バス電極（Ｘｂ，Ｙｂ）は、透明電極（Ｘａ，Ｙａ）よりも電気抵抗が低い。
【００３８】
図１４で、表示電極２（２Ｘ，２Ｙ）は、例えば、ガラス基板１上、透明電極（Ｘａ，Ｙａ）、バス電極（Ｘｂ，Ｙｂ）の順の積層により構成されている。面放電ギャップＧＳは、透明電極（Ｘａ，Ｙａ）の先端の間の距離であり、セル中心に位置する。アドレス放電ギャップＧＡは、例えば、アドレス電極６とバス電極Ｙｂとの間の距離で示している。
【００３９】
図１２〜図１４で、楕円で示す領域３１（面放電領域）は、面放電の概略的な形状及び範囲などを示している。範囲６１は、領域３１に対応するｙ方向の範囲である。領域３１及び範囲６１の中心は、面放電ギャップＧＳ、保護層４表面付近である。面放電には表示電極２（２Ｘ，２Ｙ）のバス電極（Ｘｂ，Ｙｂ）及び透明電極（Ｘａ，Ｙａ）が係わるので、領域３１及び範囲６１の外側の境界は、それらを含む部分として示している。表示電極２（２Ｘ，２Ｙ）対に対する駆動電圧の印加により、当該電極間（面放電ギャップＧＳ）、放電空間３０の上側寄りの誘電体層３・保護層４の表面付近で、面放電（維持放電）が生じる。当該面放電により、図１３のａのように紫外線が発生して蛍光体９に衝突し、これにより蛍光体９からｂのように発光が生じ、前面方向へ抜けることで輝度となる。そのため、当該電極間（面放電ギャップＧＳ）の近傍は、最も強い発光の領域であり、当該領域は、保護層４が最も劣化しやすい部分である。
【００４０】
また、楕円で示す領域３２（アドレス放電領域）は、アドレス放電の概略的な形状及び範囲などを示している。範囲６２は、領域３２に対応するｙ方向の範囲である。また特に、図１４の領域３２ａは、アドレス放電の領域３２及び範囲６２のうち、主（中心）となる位置を示している。領域３２及び範囲６２の中心は、本例では、バス電極Ｙｂ下側付近としている。領域３２ａは、バス電極Ｙｂ下側で強くアドレス放電が発生すると考えた場合の位置を示している。アドレス放電にはＹ電極２Ｙのバス電極Ｙｂ及び透明電極Ｙａが係わるので、領域３２及び範囲６２の外側の境界は、それらを含む部分として示している。なお詳しくは、透明電極Ｙａ等を含めて考えると、アドレス放電形状及び位置等は複雑になるが、概略的に考えても十分である。アドレス電極６とＹ電極２Ｙとの対に対する駆動電圧の印加により、当該電極間（アドレス放電ギャップＧＡ）の放電空間３０で、アドレス放電が生じる。当該放電により、当該セルに壁電荷が蓄積される。
【００４１】
従来のＰＤＰ９０の構造では、図１２、図１４のように、面放電の領域３１とアドレス放電の領域３２とが一部重なっている。これにより、面放電により劣化する保護層４を介してＹ電極２Ｙとアドレス電極６との間で行われるアドレス放電における影響が存在する。ＰＤＰ９０の長期間駆動累積における面放電の繰り返しにより、保護層４が次第に劣化する。劣化した保護層４の部分では、２次電子供給性能が低下する。アドレス放電の範囲６２に対応する保護層４の部分も次第に劣化する。この劣化に伴い、アドレス放電の特性が変化（劣化）する。即ち、２次電子供給性能の低下により、アドレス放電における放電遅れが大きくなって不安定化し、これによりアドレス誤りが発生しやすくなる。
【００４２】
なお、放電空間３０内におけるバス電極（Ｘｂ，Ｙｂ）下側の領域あるいはそれよりも更に外側の領域なども、リブ８などによって区画されていない場合には、放電の発生に影響する。上述したような放電形態は、詳しくはパネル構造等によって変化するので、あくまで概略的に示している。
【００４３】
（実施の形態１）
以上を踏まえ、図３〜図５を用いて、本発明の実施の形態１のＰＤＰ１０について説明する。図３は、本ＰＤＰ１０の平面構造を図１２の形式同様に示している。また、図４は、図３の表示ライン方向（ｘ−ｚ）における断面Ａを示している。また、図５は、図３の表示列方向（ｙ−ｚ）における断面Ｂを示している。本ＰＤＰ１０は、図２同様のパネル構造に基づき、図３のように、表示電極２（２Ｘ，２Ｙ）対におけるバス電極（Ｘｂ，Ｙｂ）対のみによるラインＬ（正スリット５１）が構成され、透明電極（Ｘａ，Ｙａ）対を持たない構成である。面放電ギャップＧＳは、バス電極（Ｘｂ，Ｙｂ）間の距離である。
【００４４】
本構造において、表示電極２対に対する逆スリット５２側に、Ｘ電極２Ｘ及びＹ電極２Ｙのそれぞれで、セル単位での突起部（Ｘｃ１，Ｙｃ１）が設けられている。突起部Ｙｃ１を含むＹ電極２Ｙと、アドレス電極６との対（間）において、アドレス放電が行われる。表示電極２対での面放電と、突起部Ｙｃ１を用いるアドレス放電とが、位置的に離れる構造であり、面放電の領域３１とアドレス放電の領域３２との重なりの程度が、図１２等のような従来ＰＤＰよりも小さく、相互影響も小さい。よって、面放電による保護層４の劣化に対してあまり影響を受けずにアドレス放電が可能であり、アドレス放電の特性が長期間安定化され、アドレス放電の放電遅れが改善（抑制）される。
【００４５】
なお、突起部（Ｘｃ１，Ｙｃ１）は、セルに対応付けられる放電空間３０の領域（放電領域）内に含まれるように存在する。即ち、当該セルの領域内に、面放電の領域３１とアドレス放電の領域３２とが同じく含まれ、放電空間３０がリブ等によって分離されない構造である。これによりセルの領域内におけるリセット、アドレス、及びサステイン等の動作を可能とする。図３のように、横リブの有無に限らず、セルの領域において、バス電極（Ｘｂ，Ｙｂ）対の正スリット５１側と逆スリット５２側とで放電空間３０がｙ方向で通じており、上記条件が満たされている。
【００４６】
図３で、Ｘ電極２Ｘ，Ｙ電極２Ｙは、それぞれ、直線状のバス電極Ｘｂ，Ｙｂと、それに対して電気的に接続され逆スリット５２側に張り出す突起部Ｘｃ１，Ｙｃ１とから成る。実施の形態１で、突起部（Ｘｃ１，Ｙｃ１）の材料は、例えば、図１２の透明電極（Ｘａ，Ｙａ）と同じくＩＴＯによる。
【００４７】
また図２や図１２同様に、リブ８（縦リブ８Ａ）、蛍光体９（９Ｒ，９Ｇ，９Ｂ）、各色のセル及び対応する表示列（Ｃｒ，Ｃｇ，Ｃｂ）、アドレス電極位置６Ａ、横リブ位置８Ｂなどを有する。横リブ位置８Ｂは、横リブが存在する形態の場合の配置例を示し、例えば、逆スリット５２の中間位置の場合である。
【００４８】
画面で見てセルに対応付けられる発光領域は、縦リブ８Ａとバス電極（Ｘｂ，Ｙｂ）とで囲まれる部分である。バス電極（Ｘｂ，Ｙｂ）は、非透過性の金属材料による非発光領域となる。突起部（Ｘｃ１，Ｙｃ１）は、例えばＩＴＯから成り、バス電極（Ｘｂ，Ｙｂ）に重なる直線状の本線部分から逆スリット５２側に張り出す矩形の部分を有する。また、Ｘ電極２Ｘの突起部Ｘｃは、Ｙ電極２Ｙの突起部Ｙｃに対して対称的な形状及び材料等とする。
【００４９】
図４の断面Ａは、Ｙ電極２Ｙの突起部Ｙｃ１の位置での断面である。アドレス放電ギャップＧＡは、アドレス電極６と、Ｙ電極２Ｙの突起部Ｙｃ１との間の距離として示している。保護層４は、例えば、ＭｇＯ層である。
【００５０】
図５の断面Ｂは、アドレス電極６及び突起部（Ｘｃ１，Ｙｃ１）の位置での断面である。表示電極２（２Ｘ，２Ｙ）は、例えば、ガラス基板１上、ＩＴＯによる突起部（Ｘｃ１，Ｙｃ１）、バス電極（Ｘｂ，Ｙｂ）の順の積層により構成されている。面放電ギャップＧＳは、セル中心に位置する。アドレス放電ギャップＧＡは、アドレス電極６とバス電極Ｙｂとの間の距離として示している。
【００５１】
図３〜図５で、楕円で示す領域３１（面放電領域）は、面放電の概略的な形状及び範囲などを示している。範囲６１は、領域３１に対応するｙ方向の範囲である。領域３１及び範囲６１の中心は、面放電ギャップＧＳ、保護層４表面付近である。面放電には表示電極２（２Ｘ，２Ｙ）のバス電極（Ｘｂ，Ｙｂ）及び透明電極（Ｘａ，Ｙａ）が係わるので、領域３１及び範囲６１の外側の境界は、それらを含む部分として示している。表示電極２（２Ｘ，２Ｙ）対に対する駆動電圧の印加により、当該電極間（面放電ギャップＧＳ）、放電空間３０の上側寄りの誘電体層３・保護層４の表面付近で、面放電（維持放電）が生じる。当該電極間（面放電ギャップＧＳ）の近傍は、最も強い発光の領域であり、当該領域は、保護層４が最も劣化しやすい部分である。領域３１及び範囲６１の中心ほど保護層４の劣化が相対的に大きく、中心から外側へ向かうほど劣化が相対的に小さい。
【００５２】
また、楕円で示す領域３２（アドレス放電領域）は、アドレス放電の概略的な形状及び範囲などを示している。範囲６２は、領域３２に対応するｙ方向の範囲である。また特に、図５の第１の領域３２ａは、アドレス放電の領域３２及び範囲６２のうち、主（中心）となる位置の第１の例として、バス電極Ｙｂ下側付近で主なアドレス放電が発生すると考えた場合である。アドレス放電にはＹ電極２Ｙのバス電極Ｙｂ及び突起部Ｙｃ１が係わるので、領域３２及び範囲６２の外側の境界は、それらを含む部分として示している。また特に、図５の第２の領域３２ｂは、アドレス放電の領域３２及び範囲６２のうち、主（中心）となる位置の第２の例として、突起部Ｙｃ１下側付近で主なアドレス放電が発生すると考えた場合である。また、領域６Ｃは、アドレス電極６のうち、バス電極Ｙｂ及び突起部Ｙｃ１に対応する範囲の部分（あるいは後述するパッド６Ｂに対応する部分）を示している。
【００５３】
アドレス電極６とＹ電極２Ｙとの対に対する駆動電圧の印加により、当該電極間（アドレス放電ギャップＧＡ）の放電空間３０で、アドレス放電が生じる。当該放電により、当該セルに壁電荷が蓄積される。
【００５４】
本ＰＤＰ１０構造では、上記のように、特に突起部Ｙｃ１の存在により、面放電の領域３１とアドレス放電の領域３２との重なりの程度が従来ＰＤＰ９０よりも小さい。これにより、面放電により劣化する保護層４を介してＹ電極２Ｙとアドレス電極６との間で行われるアドレス放電における影響が小さくなる。ＰＤＰ１０の長期間駆動累積における面放電の繰り返しにより、保護層４が次第に劣化し、２次電子供給性能が低下する。特に、面放電ギャップＧＳ付近から、バス電極（Ｘｂ，Ｙｂ）及び突起部（Ｘｃ１，Ｙｃ１）が存在する外側方向へ向かって劣化が進行する。これに対し、アドレス放電の範囲６２に対応する保護層４の部分においては、第１の領域３２ａに対応する部分までの劣化に比べると、第２の領域３２ｂに対応する部分の劣化は、面放電の領域３１から離れているため、小さいか又は殆ど無い。
【００５５】
上記保護層４の劣化に伴い、アドレス放電の特性が変化する。劣化の進行に伴い、主なアドレス放電位置は、領域３２ａから３２ｂへ、といったように、外側方向へ移行すると考えられる。特に、アドレス放電の範囲６２における第２の領域３２ｂに対応する部分では、当該劣化の影響が小さく２次電子供給性能が確保される。従って、アドレス放電の特性は長期間安定化され、放電遅れが抑制され、これによりアドレス誤りが発生し難くなる。以上のように、アドレス動作の安定化により、パネルの表示品質向上及び寿命改善が実現される。
【００５６】
実施の形態１の変形例として、突起部（Ｘｃ１，Ｙｃ１）は、透明電極とする以外にも、バス電極（Ｘｂ，Ｙｂ）と同じく金属電極で構成されても構わない。また、突起部（Ｘｃ１，Ｙｃ１）や透明電極（Ｘａ，Ｙａ）の突起形状は、矩形に限らず各種可能である。
【００５７】
（実施の形態２）
次に、図６〜図７を用いて、本発明の実施の形態２のＰＤＰ１０について説明する。図６は、本ＰＤＰ１０の平面構造を図１２の形式同様に示している。また、図７は、図６の表示列方向（ｙ−ｚ）における断面Ｂを示している（断面Ａは図４と同様である）。実施の形態２は、基本構造及び特徴となる突起部（Ｘｃ２，Ｙｃ２）を備えること等については実施の形態１と同様であり、図１２のような従来構成に対して、特徴となる突起部（Ｘｃ２，Ｙｃ２）の構造を適用したものである。実施の形態１と異なる構成としては、図６のように、正スリット５１側（ラインＬ）の表示電極２（２Ｘ，２Ｙ）対において、セル毎に張り出す突起電極部を持つ構造である。この正スリット５１側の突起電極部として、例えばＩＴＯによる透明電極（Ｘａ，Ｙａ）による構造である。透明電極（Ｘａ，Ｙａ）対による面放電ギャップＧＳにより、面放電の容易化などが得られる。
【００５８】
図６で、Ｘ電極２Ｘ，Ｙ電極２Ｙは、それぞれ、直線状のバス電極Ｘｂ，Ｙｂと、当該バス電極に対して電気的に接続され正スリット５１側に張り出す矩形の透明電極Ｘａ，Ｙａと、当該バス電極に対して電気的に接続され逆スリット５２側に張り出す矩形の突起部Ｘｃ２，Ｙｃ２とから成る。実施の形態２で、突起部（Ｘｃ２，Ｙｃ２）の材料は、透明電極（Ｘａ，Ｙａ）と同じくＩＴＯによる。これにより、パネル製造時、突起部（Ｘｃ２，Ｙｃ２）の形成は、透明電極（Ｘａ，Ｙａ）の形成と工程及び材料などが共通化可能となるので効率的である。
【００５９】
なお、バス電極（Ｘｂ，Ｙｂ）の幅、アドレス電極６の幅、透明電極（Ｘａ，Ｙａ）の幅、突起部（Ｘｃ２，Ｙｃ２）の幅を、同程度とした場合を示している。また、ｙ方向の長さに関して、正スリット５１の透明電極（Ｘａ，Ｙａ）の長さと、逆スリット５２の突起部（Ｘｃ２，Ｙｃ２）の長さとを、同程度とした場合を示している。また、横リブが存在する形態の場合の横リブ位置８Ｂは、逆スリット５２の中間位置であり、突起部（Ｘｃ２，Ｙｃ２）には重ならない。
【００６０】
図７の断面Ｂは、アドレス電極６及び突起部（Ｘｃ２，Ｙｃ２）の位置での断面である。表示電極２（２Ｘ，２Ｙ）は、例えば、ガラス基板１上、ＩＴＯによる突起部（Ｘｃ２，Ｙｃ２）及び透明電極（Ｘａ，Ｙａ）の層、バス電極（Ｘｂ，Ｙｂ）の順の積層により構成されている。面放電ギャップＧＳは、透明電極（Ｘａ，Ｙａ）の先端の間の距離であり、セル中心に位置する。アドレス放電ギャップＧＡは、アドレス電極６とバス電極Ｙｂとの間の距離として示している。
【００６１】
図６〜図７で、楕円で示す領域３１（面放電領域）は、面放電の概略的な形状及び範囲などを示している。範囲６１は、領域３１に対応するｙ方向の範囲である。領域３１及び範囲６１の中心は、面放電ギャップＧＳ、保護層４表面付近である。また、楕円で示す領域３２（アドレス放電領域）は、アドレス放電の概略的な形状及び範囲などを示している。第１の範囲６２ａは、Ｙ電極２Ｙの透明電極Ｙａ、バス電極Ｙｂ、及び突起部Ｙｃ２をすべて含む部分に対応するｙ方向の範囲である。また、第２の範囲６２ｂは、透明電極Ｙａを除きバス電極Ｙｂと突起部Ｙｃ２を含む部分に対応するｙ方向の範囲である。また、領域３２ａは、アドレス放電における主（中心）となる位置の第１の例として、バス電極Ｙｂ下側付近で主なアドレス放電が発生すると考えた場合である。また第２の領域３２ｂは、アドレス放電における主（中心）となる位置の第２の例として、突起部Ｙｃ２下側付近で主なアドレス放電が発生すると考えた場合である。また、領域６Ｃは、アドレス電極６のうち、バス電極Ｙｂ及び突起部Ｙｃ２に対応する範囲の部分（あるいは後述するパッド６Ｂに対応する部分）を示している。
【００６２】
本ＰＤＰ１０構造により、実施の形態１同様に、特に突起部Ｙｃ２の存在により、セルにおける面放電の領域３１とアドレス放電の領域３２とが離れ、重なりの程度が小さいので、保護層４を介してＹ電極２Ｙとアドレス電極６との間で行われるアドレス放電における影響が小さくなる。面放電による保護層４の劣化がセル中心から外側方向へ進行したとしても、主なアドレス放電位置は、領域３２ａから３２ｂへ、といったように、外側方向へ移行し、特に、アドレス放電の範囲６２ｂや第２の領域３２ｂに対応する保護層４の部分については、面放電の領域３１から離れているため、２次電子供給性能が確保される。従って、アドレス放電の特性が長期間安定化され、放電遅れが抑制される。
【００６３】
（実施の形態３）
次に、図８を用いて、本発明の実施の形態３のＰＤＰ１０について説明する。図８は、本ＰＤＰ１０の平面構造を図１２の形式同様に示している。実施の形態３は、基本構造及び特徴となる突起部（Ｘｃ３，Ｙｃ３）を備えること等については実施の形態２等と同様であり、図１２のような従来構成に対して、特徴となる突起部（Ｘｃ３，Ｙｃ３）の構造を適用したものである。実施の形態２と異なる構成としては、図８のように、正スリット５１側の突起電極部がＩＴＯによる透明電極（Ｘａ，Ｙａ）で構成されるのに対し、逆スリット５２側の突起部（Ｘｃ３，Ｙｃ３）が、金属製（非透過性）のバス電極（Ｘｂ，Ｙｂ）と同じ材料により構成される。
【００６４】
図８で、突起部（Ｘｃ３，Ｙｃ３）は、バス電極（Ｘｂ，Ｙｂ）と同じく、金属（例えば、Ｃｕ，Ｃｒ）などの、例えば黒色になる材料を用い、厚さも例えば同じに構成される。突起部（Ｘｃ３，Ｙｃ３）は、バス電極（Ｘｂ，Ｙｂ）から張り出す部分として電気的に接続されている。本構造では、逆スリット５２において、突起部（Ｘｃ３，Ｙｃ３）は、バス電極（Ｘｂ，Ｙｂ）と同じく非透過性（例えば黒色）の領域となる。即ち、本構造では、正スリット５１（発光部）以外の領域で、逆スリット５２のうち突起部（Ｘｃ３，Ｙｃ３）を含む少なくとも一部の領域を、例えば上記黒色化し、当該黒色の領域の占める割合を高めることが可能となる。よって、画面で見てコントラスト（明室コントラスト）の改善の効果が得られる。また、突起部（Ｘｃ３，Ｙｃ３）は、バス電極（Ｘｂ，Ｙｂ）と一体的に形成することにより、製造が効率化される。
【００６５】
なお、各実施の形態に対して更に、逆スリット５２などに対し、突起部（Ｘｃ，Ｙｃ）よりも前面側に、黒帯を設けてコントラスト向上する構成としてもよい。その場合、黒帯の背面側に突起部（Ｘｃ，Ｙｃ）を隠す構成とする場合は、突起部（Ｘｃ，Ｙｃ）の存在による視覚的効果をあまり気にしなくてよい。
【００６６】
（実施の形態４）
次に、図９を用いて、本発明の実施の形態４のＰＤＰ１０について説明する。図９は、本ＰＤＰ１０の平面構造を図１２の形式同様に示している。実施の形態４は、基本構造及び特徴となる突起部（Ｘｃ４，Ｙｃ４）を備えること等については実施の形態２等と同様である。実施の形態２と異なる構成としては、図９のように、背面基板構造体１２側のアドレス電極６を単純な直線状にせず、Ｙ電極２Ｙの突起部Ｙｃ４の位置と対応して交差する位置に、アドレス電極６の幅が大きくなる部分であるパッド６Ｂを設ける。これにより、突起部Ｙｃ４を含むＹ電極２Ｙと、アドレス電極６のパッド６Ｂとの交差部分の面積を大きくした構造である。
【００６７】
パッド６Ｂを含むアドレス電極６の材料は、例えばバス電極（Ｘｂ，Ｙｂ）と同様の金属（例えばＣｕ，Ｃｒ）である。なお、パッド６Ｂ部分はバス電極Ｙｂ部分と重なっても構わない。
【００６８】
図９の例では、バス電極（Ｘｂ，Ｙｂ）の幅、アドレス電極６の直線状の本線の幅、透明電極（Ｘａ，Ｙａ）の幅、突起部（Ｘｃ４，Ｙｃ４）の幅を、同程度とした場合であり、また特に、突起部Ｙｃ４の幅（面積）よりもアドレス電極６のパッド６Ｂの幅（面積）の方が大きい場合である。
【００６９】
上記Ｙ電極２Ｙとアドレス電極６との交差部分の面積を大きくした構造により、アドレス放電を安定的、効率的に発生させることができる。
【００７０】
（実施の形態５）
次に、図１０において、実施の形態５のＰＤＰ１０について示している。実施の形態５は、実施の形態２等と基本同様であるが、Ｘ電極２Ｘ側には突起部Ｘｃを設けずにＹ電極２Ｙ側のみ突起部Ｙｃ５を設けた形態である。Ｙ電極２Ｙの突起部Ｙｃ５を用いてアドレス放電が行われること等は同様である。
【００７１】
前述の形態のように、表示電極２（２Ｘ，２Ｙ）の両方側に突起部（Ｘｃ，Ｙｃ）を持つ構成とする場合、利点としては、例えば、画面で見た時の視覚的なバランスがとれており、表示品質の確保につながる。一方、本例のように一方側のみ突起部（Ｙｃ５）を持つ構成の場合、利点としては、例えば、表示領域（セル構造）において、他方側の突起部（Ｘｃ）のための領域を確保する必要がないので、全体としてスペースが増え、セル配置ピッチが小さい場合などに有効である。
【００７２】
＜変形例＞
図１１において、各実施の形態の変形例について示している。単位セルにおける、電極等の比率の違いのみ示している。いずれの例でも、前述同様にアドレス放電の特性の安定化の効果が得られる。
【００７３】
図１１（ａ）は、バス電極Ｙｂの幅、アドレス電極６の幅、透明電極Ｙａの幅などを同程度とし、それらよりも突起部Ｙｃの幅を大きくした例である。
【００７４】
図１１（ｂ）は、バス電極Ｙｂの幅、アドレス電極６の幅を同程度とし、それらよりも透明電極Ｙａの幅及び突起部Ｙｃの幅などを同程度に大きくした例である。
【００７５】
図１１（ｃ）は、バス電極Ｙｂの幅、アドレス電極６の本線の幅、透明電極Ｙａの幅などを同程度とし、それらよりも突起部Ｙｃの幅及びパッド６Ｂの幅を同程度に大きくした例である。
【００７６】
図１１（ｄ）は、バス電極Ｙｂの幅、アドレス電極６の本線の幅、透明電極Ｙａの幅などを同程度とし、それらよりもパッド６Ｂの幅を大きくし、更に、パッド６Ｂの幅（面積）よりも突起部Ｙｃの幅（面積）を大きくした例である。
【００７７】
図１１（ｅ）は、バス電極Ｙｂの幅、アドレス電極６の本線の幅、透明電極Ｙａの幅などを同程度とし、それらよりも突起部Ｙｃの幅（面積）を大きくし、更に、突起部Ｙｃの幅（面積）よりもパッド６Ｂの幅（面積）を大きくした例である。
【００７８】
また、前述した実施の形態に関して、電極の厚さや幅などの詳しい例は以下である。ＩＴＯによる透明電極（Ｘａ，Ｙａ）の厚さに比べて金属のバス電極（Ｘｂ，Ｙｂ）の厚さの方が大きい。例えば、バス電極（Ｘｂ，Ｙｂ）の厚さは２〜５μｍ、透明電極（Ｘａ，Ｙａ）の厚さは１０００〜２０００Å（オングストローム）である。また、例えば、バス電極（Ｘｂ，Ｙｂ）の幅は、５０〜６０μｍ、アドレス電極６の幅は、４０〜５０μｍ、アドレス電極６のパッド６Ｂの幅は、１００μｍであり、各種の突起部（Ｘｃ，Ｙｃ）の幅は、８０μｍである。
【００７９】
以上、本発明者によってなされた発明を実施の形態に基づき具体的に説明したが、本発明は前記実施の形態に限定されるものではなく、その要旨を逸脱しない範囲で種々変更可能であることは言うまでもない。
【産業上の利用可能性】
【００８０】
本発明は、各種ＰＤＰ装置に利用可能である。
【図面の簡単な説明】
【００８１】
【図１】本発明の一実施の形態のＰＤＰ装置における全体のブロック構成を示す図である。
【図２】本発明の一実施の形態のＰＤＰにおける基本構造一例を分解斜視で示す図である。
【図３】本発明の実施の形態１のＰＤＰにおけるセル及び電極等の構造を前面側から見た平面で概略的に示す図である。
【図４】本発明の実施の形態１のＰＤＰにおけるセル及び電極等の構造を表示ライン方向（ｘ方向）の断面（Ａ）で示す図である。
【図５】本発明の実施の形態１のＰＤＰにおけるセル及び電極等の構造を表示列方向（ｙ方向）の断面（Ｂ）で示す図である。
【図６】本発明の実施の形態２のＰＤＰにおけるセル及び電極等の構造を前面側から見た平面で概略的に示す図である。
【図７】本発明の実施の形態２のＰＤＰにおけるセル及び電極等の構造を表示列方向（ｙ方向）の断面（Ｂ）で示す図である。
【図８】本発明の実施の形態３のＰＤＰにおけるセル及び電極等の構造を前面側から見た平面で概略的に示す図である。
【図９】本発明の実施の形態４のＰＤＰにおけるセル及び電極等の構造を前面側から見た平面で概略的に示す図である。
【図１０】本発明の実施の形態５のＰＤＰにおけるセル及び電極等の構造を前面側から見た平面で概略的に示す図である。
【図１１】（ａ）〜（ｅ）は、本発明の各実施の形態の変形例のＰＤＰにおけるセル単位の各電極幅などの関係の構成例を概略的に示す図である。
【図１２】従来技術例のＰＤＰにおけるセル及び電極等の構造を前面側から見た平面で概略的に示す図である。
【図１３】従来技術例のＰＤＰにおけるセル及び電極等の構造を表示ライン方向（ｘ方向）の断面（Ａ）で示す図である。
【図１４】従来技術例のＰＤＰにおけるセル及び電極等の構造を表示列方向（ｙ方向）の断面（Ｂ）で示す図である。
【符号の説明】
【００８２】
１…前面ガラス基板、２…表示電極、２Ｘ…維持電極（Ｘ電極）、２Ｙ…走査電極（Ｙ電極）、３，７…誘電体層、４…保護層、５…背面ガラス基板、６…アドレス電極、６Ａ…アドレス電極位置、６Ｂ…パッド、６Ｃ…領域、８…隔壁（リブ）、８Ａ…縦リブ、８Ｂ…横リブ位置、９（９Ｒ，９Ｇ，９Ｂ）…蛍光体、１０，９０…ＰＤＰ、１１…前面基板構造体（第１構造体）、１２…背面基板構造体（第２構造体）、３０…放電空間、３１，３２，３２ａ，３２ｂ…領域、６１，６２…範囲、５１…正スリット、５２…逆スリット、１１０…制御回路、１２１…Ｘサステインドライバ、１２２…Ｙサステインドライバ、１２３…Ｙスキャンドライバ、１２４…アドレスドライバ、Ｘａ，Ｙａ…透明電極、Ｘｂ，Ｙｂ…バス電極、Ｘｃ，Ｙｃ，Ｘｃ１，Ｙｃ１，Ｘｃ２，Ｙｃ２，Ｘｃ３，Ｙｃ３，Ｘｃ４，Ｙｃ４，Ｙｃ５…突起部。
【図１】
2009135004.tif 000003
【図２】
2009135004.tif 000004
【図３】
2009135004.tif 000005
【図４】
2009135004.tif 000006
【図５】
2009135004.tif 000007
【図６】
2009135004.tif 000008
【図７】
2009135004.tif 000009
【図８】
2009135004.tif 000010
【図９】
2009135004.tif 000011
【図１０】
2009135004.tif 000012
【図１１】
2009135004.tif 000013
【図１２】
2009135004.tif 000014
【図１３】
2009135004.tif 000015
【図１４】
2009135004.tif 000016